(57)【特許請求の範囲】
【請求項１】
被乾燥物を収納する収納庫と、乾燥用空気を加熱する発熱体と、送風インペラを有し電動機により動作する送風機と、機外の空気を取り入れる吸気口及び吸気経路と、前記収納庫内に空気を送り込む第一の送風口を有する第一の送風経路及び第二の送風口を有する第二の送風経路と、前記収納庫内の空気を機外へ排出する排気口とを備え、前記送風インペラに前記第一及び第二の送風経路を接続し、前記送風機は、前記第一及び第二の送風口の一方の風量が他方より多くなるように前記第一及び第二の送風口の両方から前記収納庫内へ送風するとともに、前記電動機の正転／反転により前記第一及び第二の送風口からの風量が交互に多くなるようにした乾燥機。
【請求項２】
第一及び第二の送風経路に弁を設け、電動機の正転／反転により前記第一及び第二の送風経路の一方から収納庫内へ交互に送風されるように前記弁を開閉する構成とした請求項１記載の乾燥機。
【発明の詳細な説明】
【０００１】
【発明の属する利用分野】
本発明は食器、食品、衣類、調理器具類、布類、靴類、傘類等の被乾燥物を効率的に乾燥する乾燥機に関するものである。
【０００２】
【従来の技術】
以下に従来の乾燥機について説明する。従来の乾燥機は図２２に示すように、収納庫１内の所定の場所に被乾燥物２（例えば食器等）等を収納した後、電源を投入して運転を開始するものである。
【０００３】
運転を開始すると、まず電動機３が駆動して送風インペラ４を動作させる。送風インペラ４が動作すると機外の空気が加圧され、送風経路５に送風される。このとき発熱体６に通電することにより機外の空気は送風経路５を介して発熱体６により加熱され温風となって収納庫１内に送風される。そして、収納庫１内に送風された機外の空気は被乾燥物２等を乾燥させて排気口７から機外へ排出される。所定時間の乾燥工程が終了すると乾燥機の運転を終了するものである。
【０００４】
【発明が解決しようとする課題】
しかしながら、従来の構成の乾燥機では以下の問題を有している。つまり、乾燥工程において、機外の空気は送風インペラ４により送風経路５を介して発熱体６に送り込まれて加熱され収納庫１内に送風されるが、このとき加熱された空気は図２２に示すように被乾燥物２及び収納庫１内に均一に行き渡らず排気口７から機外へ排出されてしまう。そのため、被乾燥物２を均一に加熱し乾燥させることができず、所定の運転時間を経ても被乾燥物２の満足な乾燥性能を得ることができない。また、被乾燥物２の一部には加熱された空気が常に供給されるので、被乾燥物２に温度過昇部分が生じるという問題がある。
【０００５】
本発明は前記問題点に鑑み、被乾燥物に機外の空気を均一に行き渡らせ、均一な乾燥を実現することを目的とする。
【０００６】
【課題を解決するための手段】
本発明の乾燥機は、被乾燥物を収納する収納庫と、乾燥用空気を加熱する発熱体と、送風インペラを有し電動機により動作する送風機と、機外の空気を取り入れる吸気口及び吸気経路と、前記収納庫内に空気を送り込む第一の送風口を有する第一の送風経路及び第二の送風口を有する第二の送風経路と、前記収納庫内の空気を機外へ排出する排気口とを備え、前記送風インペラに前記第一及び第二の送風経路を接続し、前記送風機は、前記第一及び第二の送風口の一方の風量が他方より多くなるように前記第一及び第二の送風口の両方から前記収納庫内へ送風するとともに、前記電動機の正転／反転により前記第一及び第二の送風口からの風量が交互に多くなるようにしたものである。
【０００７】
この発明によれば、被乾燥物に機外の空気を均一に行き渡らせることができる。
【０００８】
【発明の実施の形態】
本発明の請求項１に記載の発明は、被乾燥物を収納する収納庫と、乾燥用空気を加熱する発熱体と、送風インペラを有し電動機により動作する送風機と、機外の空気を取り入れる吸気口及び吸気経路と、前記収納庫内に空気を送り込む第一の送風口を有する第一の送風経路及び第二の送風口を有する第二の送風経路と、前記収納庫内の空気を機外へ排出する排気口とを備え、前記送風インペラに前記第一及び第二の送風経路を接続し、前記送風機は、前記第一及び第二の送風口の一方の風量が他方より多くなるように前記第一及び第二の送風口の両方から前記収納庫内へ送風するとともに、前記電動機の正転／反転により前記第一及び第二の送風口からの風量が交互に多くなるようにしたことにより、均一な乾燥を実現することができる。
【０００９】
請求項２に記載の発明は、請求項１に記載の発明に加え、第一及び第二の送風経路に弁を設け、電動機の正転／反転により前記第一及び第二の送風経路の一方から収納庫内へ交互に送風されるように前記弁を開閉する構成としたことにより、それぞれの経路にロスなく送風を行うことができる。
【００１０】
【実施例】
（実施例１）
以下本発明の第１の実施例について、図面を参照しながら説明する。図１において、２１は収納庫、２２は被乾燥物（ここでは食器を例にする）、２３は第一の送風インペラ、２４は第一の送風ケーシング、２５は第二の送風インペラ、２６は第二の送風ケーシング、２７は第一及び第二の送風インペラ２３、２５を駆動する電動機で、正転または反転することができる。そして、第一、第二の送風インペラ２３、２５は、電動機２７が正転するときには第一の送風インペラ２３が機外の空気を加圧する一方、第二の送風インペラ２５は機外の空気を加圧せず、また、電動機２７が反転するときには第二の送風インペラ２５が機外の空気を加圧する一方、第一の送風インペラ２３は機外の空気を加圧しないように構成されている。２８、２９は機外の空気を第一の送風インペラ２３に送り込む第一の吸気口及び第一の吸気経路、３０、３１は機外の空気を第二の送風インペラ２５に送り込む第二の吸気口及び第二の吸気経路である。３２、３３は第一の送風経路、第一の送風口で収納庫２１と第一の送風ケーシング２４とを接続している。また、３４、３５は第二の送風経路、第二の送風口で収納庫２１と第二の送風ケーシング２６とを接続している。３６は発熱体であり、第一及び第二の送風インペラ２３、２５により収納庫２１内に供給された機外の空気を加熱するものである。また、図２において、３７は収納庫２１内の空気を機外へ排出する排気口である。
【００１１】
前記構成において以下にその動作について説明する。収納庫２１内に被乾燥物２２等を所定の位置に収納して運転を開始する。運転を開始すると、まず電動機２７が正転方向に駆動して第一及び第二の送風インペラ２３、２５を動作させる。この時、第一の送風インペラ２３は機外の空気を加圧し、第二の送風インペラ２５は機外の空気を加圧しないので、機外の空気は第一の送風インペラ２３により、第一の吸気口２８、第一の吸気経路２９を介して第一の送風インペラ２３に送り込まれて加圧され、第一の送風経路３２、第一の送風口３３を介して収納庫２１内に供給される。そして、収納庫２１内に供給された機外の空気は発熱体３６により加熱されて温風となって被乾燥物２２等に送風される。そして被乾燥物２２等を乾燥させ、その後排気口３７より機外へ排出される。電動機２７が正転方向に所定時間駆動した後、電動機２７は反転方向に駆動して第一及び第二の送風インペラ２３、２５を動作させる。この時は第二の送風インペラ２５は機外の空気を加圧し、第一の送風インペラ２３は機外の空気を加圧しないので、機外の空気は第二の送風インペラ２５により、第二の吸気口３０、第二の吸気経路３１を介して第二の送風インペラ２５に送り込まれて加圧され、第二の送風経路３４、第二の送風口３５を介して収納庫２１内に供給される。そして、電動機２７の正転方向の駆動時と同様に、収納庫２１内に供給された機外の空気は発熱体３６により加熱され温風となって被乾燥物２２等に送風される。そして、被乾燥物２２等を乾燥させ、その後排気口３７より機外へ排出される。このような電動機２７の正転または反転の駆動を所定時間ずつ繰り返しながら被乾燥物２２等を乾燥させて乾燥機の運転を終了する。
【００１２】
このように構成された本発明の第１の実施例によれば、電動機２７が正転方向に駆動するときは第一の送風インペラ２３の動作により機外の空気は収納庫２１内で図１に示すような流れを生み出し、電動機２７が反転方向に駆動するときは第二の送風インペラ２５の動作により機外の空気は図３に示すような流れを生み出す。従って、電動機２７の正転または反転の駆動を交互に繰り返すことにより、収納庫２１内では２つの方向の空気の流れを交互に生み出すことができるので、発熱体３６により加熱された空気を収納庫２１内及び被乾燥物２２に偏ることなく均一に供給することができる。そのため、被乾燥物２２等を効率的に、また短時間で乾燥させることができる。また、被乾燥物２２に温度過昇部分を生じることなく、均一に加熱し乾燥することができる。
【００１３】
なお、本発明は図４に示すように、第一及び第二の送風経路３２、３４内にそれぞれ発熱体３６を設けた構造にしてもよい。
【００１４】
また、本発明は食器だけでなく、食品、衣類、調理器具類、布類、靴類、傘類等の被乾燥物を乾燥してもよい。
【００１５】
また、本発明は、収納庫２１内に機外の低温低湿の空気を送風することにより、カビ等の発生を防いだり、食品等を衛生的に保存できる保管庫として使用してもよい。
【００１６】
また、本発明は乾燥度合い、乾燥時間によっては発熱体３６を設けず、空気の送風のみで被乾燥物２２を乾燥させる構成としてもよい。
【００１７】
また、本発明は食器洗い乾燥機等の乾燥機構に用いてもよい。
【００１８】
（実施例２）
以下本発明の第２の実施例について、図面を参照しながら説明する。全体の構成は第１の実施例と同様であるので説明を省略する。ただし、図５において、電動機２７の軸の両端に第一及び第二の送風インペラ２３、２５がそれぞれ配置されている。また、３８、３９は吸気口及び吸気経路であり、機外の空気は吸気口３８、吸気経路３９から第一または第二の送風インペラ２３、２５に供給される。そして、電動機２７は吸気経路３９内に設けられている。ここで、電動機２７の正転時は機外の空気は吸気口３８、吸気経路３９、電動機２７を介して第一の送風インペラ２３に供給されて加圧される。そして、加圧された機外の空気は第一の送風経路３２、第一の送風口３３発熱体３６を介して収納庫２１及び被乾燥物２２等に供給される。また、電動機２７の反転時は機外の空気は正転時と同様に吸気口３８、吸気経路３９、電動機２７を介して第二の送風インペラ２５に供給されて加圧される。そして、加圧された機外の空気は第二の送風経路３４、第二の送風口３５、発熱体３６を介して収納庫２１及び被乾燥物２２等に供給される。
【００１９】
このように構成された本発明の第２の実施例によれば、図５に示すように、電動機２７の正転時は機外の空気は吸気口３８、吸気経路３９、電動機２７を介して第一の送風インペラ２３に供給されて加圧された後、第一の送風経路３２、第一の送風口３３を介して収納庫２１内に送風される。また、図６に示すように、電動機２７の反転時は機外の空気は吸気口３８、吸気経路３９、電動機２７を介して第二の送風インペラ２５に供給されて加圧された後、第二の送風経路３４、第二の送風口３５を介して収納庫２１内に送風される。そのため、電動機２７の正転または反転に関係なく機外の空気が吸気口３８、吸気経路３９を介して電動機２７に供給されるので、電動機２７は冷却専用インペラを別途設けることなく冷却されることになる。従って、電動機２７を省スペースで、且つ安価な構成にすることができ、電動機２７の正転または反転に関係なく１個の吸気口及び吸気経路から送風される機外の空気により電動機２７を確実に冷却することができる。さらに、電動機２７の軸の両端に第一及び第二の送風インペラ２３、２５を配置することにより、電動機２７の軸に対する加重バランスを一方に偏らせることなく、ほぼ均等にすることができる。そのため、電動機２７の耐久性を向上させる構成とすることができる。
【００２０】
（実施例３）
以下本発明の第３の実施例について、図面を参照しながら説明する。全体の構成は第１の実施例と同様であるので説明を省略する。ただし、図７において、４０は送風インペラ、４１は送風ケーシングであり、送風インペラ４０はラジアルファン形状で形成されており、図８（ａ）に示すように、電動機２７が正転方向に駆動する時は送風インペラ４０により加圧された機外の空気は第一及び第二の送風経路３２、３４に供給されるが、この時、送風ケーシング４１の形状により第二の送風経路３４よりも第一の送風経路３２に多くの機外の空気が供給される。また、図８（ｂ）に示すように、電動機２７が反転方向に駆動する時は送風インペラ４０により加圧された機外の空気は電動機２７の正転方向の駆動時とは反対に第一の送風経路３２よりも第二の送風経路３４に多く供給される。また、機外の空気は吸気口３８、吸気経路３９及び電動機２７を介して送風インペラ４０に供給されるものである。
【００２１】
このように構成された本発明の第３の実施例によれば、図７に示すように、電動機２７の正転時には、送風インペラ４０により加圧された機外の空気を第一の送風経路３２及び第二の送風経路３４を介して第一の送風口３３及び第二の送風口３５の両方から収納庫２１内に送風することができ、さらに第二の送風口３５よりも多くの空気を第一の送風口３３から送風することができる。従って、電動機２７の正転時には図７に示すような空気の流れを生み出すことができる。また、図８に示すように、電動機２７の反転時にも、加圧された機外の空気を第一の送風経路３２及び第二の送風経路３４を介して第一の送風口３３及び第二の送風口３５の両方から収納庫２１内に送風することができ、さらに第一の送風口３３よりも多くの空気を第二の送風口３５から送風することができる。従って、電動機２７の反転時には図９に示すような空気の流れを生み出すことができる。
【００２２】
また、機外の空気は吸気口３８、吸気経路３９及び電動機２７を介して送風インペラ４０に供給されるので、電動機２７の正転または反転に関係なく電動機２７は機外の空気により冷却されることになる。
【００２３】
以上より、一個の送風インペラ４０で収納庫２１内に２つの方向の空気の流れを交互に生み出すことができ、加熱された空気を被乾燥物２２及び収納庫２１内に均一に供給することができる。従って、被乾燥物２２等を効率的に、さらに短時間で乾燥させることができる。また、電動機２７に冷却専用インペラを別途設けることなく、且つ電動機２７の正転または反転に関係なく電動機２７を機外の空気により確実に冷却することができる。
【００２４】
なお、図１０に示すように、第一及び第二の送風経路３２、３４にそれぞれ第一の弁４２、第二の弁４３を設け、電動機２７の正転時には第一の弁４２を開いて第二の弁４３を閉じ、収納庫２１内への送風を第一の送風経路３２及び第一の送風口３３からのみとし、反転時には第二の弁４３を開いて第一の弁４２を閉じ、収納庫２１内への送風を第二の送風経路３４及び第二の送風口３５からのみとしてもよい。
【００２５】
（実施例４）
以下本発明の第４の実施例について、図面を参照しながら説明する。全体の構成は第１の実施例と同様であるので説明を省略する。ただし、図１１において、第二の吸気経路３１及び第二の吸気口３０は収納庫２１と接続されている。
【００２６】
このように構成された本発明の第４の実施例によれば、電動機２７の正転時には図１１に示すように、第一の送風インペラ２３により機外の空気は第一の吸気口２８、第一の吸気経路２９を介して第一の送風インペラ２３に送り込まれて加圧され、第一の送風経路３２、第一の送風口３３、発熱体３６を介して温風となって収納庫２１内に供給される。そして、被乾燥物２２等を乾燥させて排気口３７から機外へ排出される。また、電動機２７の反転時には図１２に示すように、第二の送風インペラ２５により収納庫２１内の空気が第一の吸気口３０、第二の吸気経路３１を介して第二の送風インペラ２５に送り込まれて加圧され、第二の送風経路３４、第二の送風口３５、発熱体３６を介して温風となり、収納庫２１内に再び供給されて被乾燥物２２等を乾燥させる。そのため、収納庫２１内の空気の湿度が高い場合は、電動機２７を正転させて収納庫２１内の高湿度の空気を機外へ排出し、且つ低湿度の機外の空気を加熱して収納庫２１内に供給して被乾燥物２２を乾燥させることができる。そして、収納庫２１内の空気の湿度が低い場合は、電動機２７を反転させて収納庫２１内の空気を加熱しながら高温状態のままで循環させて、被乾燥物２２を乾燥させることができる。従って、電動機２７の正転または反転を繰り返すことによって、収納庫２１内の空気が高湿度の場合は収納庫２１内の高湿度の空気を排出し、低湿度の機外の空気を加熱して被乾燥物２２に供給することができ、収納庫２１内の空気が低湿度の場合は収納庫２１内の高温の空気を加熱しながら循環させて被乾燥物２２に供給することができる。そのため、空気の排出及び循環を繰り返しながら効率的に被乾燥物２２を乾燥させることができる。
【００２７】
なお、排気口３７を開閉する弁を別途設け、収納庫２１内の空気を排出する場合は排気口を開き、収納庫２１内の空気を循環させる場合は排気口を閉じる構成としてもよい。
【００２８】
（実施例５）
以下本発明の第５の実施例について、図面を参照しながら説明する。全体の構成は第１の実施例と同様であるので説明を省略する。ただし、図１３において、第二の送風インペラ２５は渦流ファン形状で形成されており、電動機２７の正転時には図１４（ａ）に示すように、第二の送風インペラ２５の動作により第二の送風経路３４から第二の吸気経路３１へ空気が供給され、電動機２７の反転時には図１４（ｂ）に示すように、第二の吸気経路３１から第二の送風経路３４へ空気が供給される。
【００２９】
このように構成された本発明の第５の実施例によれば、電動機２７の正転時には図１３に示すように、第一の送風インペラ２３により機外の空気が第一の吸気口２８、第一の吸気経路２９を介して第一の送風インペラ２３に送り込まれて加圧され、第一の送風経路３２、第一の送風口３３、発熱体３６を介して温風となって収納庫２１内に供給される。そして、被乾燥物２２等を乾燥させて排気口３７から機外へ排出される。同時に、第二の送風インペラ２５により収納庫２１内の空気の一部は第二の送風口３５及び第二の送風経路３４を介して第二の送風インペラ２５に送り込まれて加圧され、第二の吸気経路３１及び第二の吸気口３０を介して再び収納庫２１内に供給される。また、電動機２７の反転時には図１５に示すように、第二の送風インペラ２５により収納庫２１内の空気が第二の吸気口３０、第二の吸気経路３１を介して第二の送風インペラ２５に送り込まれて加圧され、第二の送風経路３４、第二の送風口３５、発熱体３６を介して温風となり、収納庫２１内に再び供給されて被乾燥物２２等を乾燥させる。そのため、電動機２７の正転時には収納庫２１内の空気の一部を加熱しながら循環させ、残りを機外へ排出し、新たに機外の空気を加熱して収納庫２１内に供給して被乾燥物２２を乾燥させることができ、電動機２７の反転時には収納庫２１内の空気を加熱しながら高温状態のままで循環させ、被乾燥物２２を乾燥させることができる。従って、電動機２７の正転または反転を繰り返すことによって、収納庫２１内の空気を循環させながら排出したり、高温の空気を循環させたりすることができるので、被乾燥物２２をより効率的に乾燥させることができる。
【００３０】
（実施例６）
以下本発明の第６の実施例について、図面を参照しながら説明する。全体の構成は第１の実施例と同様であるので説明を省略する。ただし、図１６において、第一の吸気口２８及び第一の吸気経路２９は収納庫２１と接続されている。また、第一の送風経路３２、第一の送風口３３は第一の送風ケーシング２４と機外を接続するように構成されている。４４は機外の空気を収納庫２１へ送り込む第三の送風口である。
【００３１】
このように構成された本発明の第６の実施例によれば、電動機２７の正転時には図１６に示すように、第一の送風インペラ２３の動作により収納庫２１内の空気は第一の吸気口２８から吸い出され、第一の吸気経路２９、第一の送風インペラ２３、第一の送風経路３２、第一の送風口３３を介して機外へ排出され、第三の送風口４４から新たな機外の空気が収納庫２１内に送り込まれる。そのため、収納庫２１内では図１６に示すような空気の流れが生み出される。また、電動機２７の反転時には図１７に示すように、第二の送風インペラ２５の動作により収納庫２１内の空気は第二の吸気口３０、第二の吸気経路３１を介して第二の送風インペラ２５に送り込まれて加圧され、第二の送風経路３４、第二の送風口３５を介して再び収納庫２１内に供給される。従って、電動機２７の正転時には、収納庫２１内の空気は吸い出されて排出されるので、第三の送風口４４から送り込まれ発熱体３６により加熱されたほとんど全ての機外の空気は、被乾燥物２２に送風されて被乾燥物２２を乾燥させる。そして、被乾燥物以外（例えば収納庫の底面または側面等）に送風され被乾燥物以外を加熱して乾燥することがない。さらに、収納庫２１内の空気が高温多湿の場合でも収納庫２１の扉等のシール部から高温多湿の空気が漏れることなく確実に第一の送風口３３から機外へ排出することができる。
【００３２】
以上より、電動機２７の正転時には収納庫２１内の空気を吸い出して排出することにより、第三の送風口４４から送り込まれ、発熱体３６により加熱されて温風となった機外の空気を収納庫２１内の壁面等乾燥すべき対象物以外に送風して乾燥させることなく、被乾燥物２２にほとんど全て送風することができるので、発熱体３６からの熱を効率的に被乾燥物２２に供給し乾燥することができる。また、収納庫２１内の空気が高温多湿の場合でも収納庫２１の扉等のシール部から高温多湿の空気が機外へ漏れることなく確実に第一の送風口３３から機外へ排出することができる。
【００３３】
（実施例７）
以下本発明の第７の実施例について、図面を参照しながら説明する。全体の構成は第１の実施例と同様であるので説明を省略する。ただし、図１８において、第二の送風インペラ２５は渦流ファン形状で形成されており、４５は第一の送風経路３２を開閉する開閉弁である。
【００３４】
このように構成された本発明の第７の実施例によれば、電動機２７の正転時に、開閉弁４５を開くと、図１８に示すように、収納庫２１内の空気の一部を加熱しながら循環させて、残りを機外へ排出し、新たに機外の空気を収納庫２１内に供給することができる。また、開閉弁４５を閉じると図１９に示すように、収納庫２１内のほとんど全ての空気を排気することなく加熱しながら循環させることができる。そのため、収納庫２１内の空気が高湿度の場合は開閉弁４５を開いて収納庫２１内の高湿度の空気を一部は循環しながら残りを機外へ排出し、低湿度の機外の空気を収納庫２１に送り込むことができる。そして、収納庫２１内の空気が低湿度の場合は開閉弁４５を閉じて電動機２７を正転または反転させることにより図１９、図２０に示すように、収納庫２１内の空気の循環工程中に収納庫２１内の高温で低湿度の空気を循環方向を変化させながら加熱して循環させることができる。従って、収納庫２１内の空気が高湿度の場合は、高湿度の空気を機外へ排出して低湿度の空気を収納庫２１内に送り込んで被乾燥物２２を乾燥させることができ、収納庫２１内の空気が低湿度の場合は循環工程中に収納庫２１内の空気を循環方向を変化させながら被乾燥物２２を乾燥させることができる。
【００３５】
なお、開閉弁４５を、第一の送風インペラ２３と収納庫２１を接続する第一の送風経路３２内に設けたが、第一の吸気経路２９内に設けてもよい。
【００３６】
（実施例８）
以下本発明の第８の実施例について、図面を参照しながら説明する。全体の構成は第１の実施例と同様であるので説明を省略する。ただし、図２１において、４６は湿度検知装置であり、第二の吸気経路３１内に備えられている。
【００３７】
このように構成された本発明の第８の実施例によれば、電動機２７の正転時には、第一の送風インペラ２３により機外の空気は第一の吸気口２８、第一の吸気経路２９を介して第一の送風インペラ２３に送り込まれて加圧され、第一の送風経路３２、第一の送風口３３、発熱体３６を介して温風となって収納庫２１内に供給される。そして、被乾燥物２２等を乾燥させて排気口３７から機外へ排出される。また、電動機２７の反転時には図２１に示すように、第二の送風インペラ２５により収納庫２１内の空気が第一の吸気口３０、第二の吸気経路３１を介して第二の送風インペラ２５に送り込まれて加圧され、第二の送風経路３４、第二の送風口３５、発熱体３６を介して温風となり、収納庫２１内に再び供給されて被乾燥物２２等を乾燥させる。この時、湿度検知装置４６は第二の吸気経路３１内に備えられているので、循環する空気の湿度を検知することができる。そのため、収納庫２１内の空気の湿度が低い場合は、電動機２７を反転させて収納庫２１内の空気を加熱しながら循環させて被乾燥物２２を乾燥させるが、被乾燥物２２等に付着した水滴が蒸発し、循環している空気の湿度が高い場合を湿度検知装置４６により検知することができる。従って、電動機２７の正転または反転の切換時を湿度検知装置４６により検知することができるので、収納庫２１内の空気の排出及び循環の切換を効率的に行うことができる。
【００３８】
なお、湿度検知装置４６を収納庫２１内に設け、電動機２７の正転時または反転時も収納庫２１内の空気の湿度を検知できるようにし、電動機２７の正転から反転、または反転から正転の切換時を適切に検知できるようにするとなお良い。
【００３９】
【発明の効果】
以上のように本発明の洗浄機は、被乾燥物を収納する収納庫と、乾燥用空気を加熱する発熱体と、送風インペラを有し電動機により動作する送風機と、機外の空気を取り入れる吸気口及び吸気経路と、前記収納庫内に空気を送り込む第一の送風口を有する第一の送風経路及び第二の送風口を有する第二の送風経路と、前記収納庫内の空気を機外へ排出する排気口とを備え、前記送風インペラに前記第一及び第二の送風経路を接続し、前記送風機は、前記第一及び第二の送風口の一方の風量が他方より多くなるように前記第一及び第二の送風口の両方から前記収納庫内へ送風するとともに、前記電動機の正転／反転により前記第一及び第二の送風口からの風量が交互に多くなるようにしたから、被乾燥物に機外の空気を均一に行き渡らせることができ、効率的に乾燥することができる。
【図面の簡単な説明】
【図１】  本発明の実施例１における乾燥機の電動機の正転時の縦断面図
【図２】  同乾燥機の電動機の正転時の横方向から見た縦断面図
【図３】  同乾燥機の電動機の反転時の縦断面図
【図４】  同乾燥機の発熱体を送風経路に設けた縦断面図
【図５】  本発明の実施例２における乾燥機の電動機の正転時の縦断面図
【図６】  同乾燥機の電動機の反転時の縦断面図
【図７】  本発明の実施例３における乾燥機の電動機の正転時の縦断面図
【図８】  同乾燥機の上方から見た送風インペラ及び送風ケーシング構成図
【図９】  同乾燥機の電動機の反転時の縦断面図
【図１０】  同乾燥機の弁の配置図
【図１１】  本発明の実施例４における乾燥機の電動機の正転時の縦断面図
【図１２】  同乾燥機の電動機の反転時の縦断面図
【図１３】  本発明の実施例５における乾燥機の電動機の正転時の縦断面図
【図１４】  同乾燥機の上方から見た送風インペラ及び送風ケーシング構成図
【図１５】  同乾燥機の電動機の反転時の縦断面図
【図１６】  本発明の実施例６における乾燥機の電動機の正転時の縦断面図
【図１７】  同乾燥機の電動機の反転時の縦断面図
【図１８】  本発明の実施例７における乾燥機の開閉弁を開き、電動機が正転方向に回転する時の縦断面図
【図１９】  同乾燥機の開閉弁を閉じ、電動機が正転方向に回転する時の縦断面図
【図２０】  同乾燥機の電動機の反転時の縦断面図
【図２１】  本発明の実施例８における乾燥機の縦断面図
【図２２】  従来の乾燥機の縦断面図
【符号の説明】
２１  収納庫
２３  第一の送風インペラ
２４  第一の送風ケーシング
２５  第二の送風インペラ
２６  第二の送風ケーシング
２７  電動機
２８  第一の吸気口
２９  第一の吸気経路
３０  第二の吸気口
３１  第二の吸気経路
３２  第一の送風経路
３３  第一の送風口
３４  第二の送風経路
３５  第二の送風口
３６  発熱体
３７  排気口
３８  吸気口
３９  吸気経路
４０  送風インペラ
４１  送風ケーシング
４２  第一の弁
４３  第二の弁
４４  第三の送風口
４５  開閉弁
４６  湿度検知装置
【図１】
0003747531.tif 000002
【図２】
0003747531.tif 000003
【図３】
0003747531.tif 000004
【図４】
0003747531.tif 000005
【図５】
0003747531.tif 000006
【図６】
0003747531.tif 000007
【図７】
0003747531.tif 000008
【図８】
0003747531.tif 000009
【図９】
0003747531.tif 000010
【図１０】
0003747531.tif 000011
【図１１】
0003747531.tif 000012
【図１２】
0003747531.tif 000013
【図１３】
0003747531.tif 000014
【図１４】
0003747531.tif 000015
【図１５】
0003747531.tif 000016
【図１６】
0003747531.tif 000017
【図１７】
0003747531.tif 000018
【図１８】
0003747531.tif 000019
【図１９】
0003747531.tif 000020
【図２０】
0003747531.tif 000021
【図２１】
0003747531.tif 000022
【図２２】
0003747531.tif 000023